(57)【要約】【課題】本発明が解決しようとする課題は、床面に視認できる下レールを配置しない横引きシャッター装置を提供することである。【解決手段】本発明の横引きシャッター装置は、吊り下げ用上レールにシャッター本体を吊り下げて移動軌跡線に沿って移動させて開閉する横引きシャッター装置において、床面側には機械的な案内溝を設けることなく、前記シャッター本体の移動軌跡線に沿って永久磁石を上下方向に極性を揃えて設け、それに対向してシャッター本体の下端縁近傍にも永久磁石を上下方向に極性を揃えて設け、前記床面側に設けた永久磁石と前記シャッター本体に設けた永久磁石との反発力により前記シャッター本体を前記移動軌跡線に沿って移動させることを特徴とする。【選択図】図１
2012149495.tif 000002
【特許請求の範囲】
【請求項１】
シャッター本体を移動軌跡線に沿って移動させて開閉する横引きシャッター装置において、床面側には前記シャッター本体の移動軌跡線に沿って一方向に極性を揃えた複数の永久磁石要素から構成された永久磁石の列を設け、その永久磁石の列に対向してシャッター本体の下端縁近傍にも複数の永久磁石要素から構成された永久磁石の列を一方向に極性を揃えて設け、前記床面側に設けた永久磁石の列と前記シャッター本体に設けた永久磁石の列との反発力により前記シャッター本体の前記移動軌跡線に沿った移動を案内させることを特徴とする横引きシャッター装置。
【請求項２】
前記一方の永久磁石の列が１本の列状に配設され、且つ、それに対向した他方の永久磁石の列が２本の列状に配設されており、前記１本の永久磁石の列が、それに対向した前記他方の２本の永久磁石の列の間に配置されたことを特徴とする請求項１記載の横引きシャッター装置。
【請求項３】
前記床面側の永久磁石の列が１本の列状に配設され、且つ、それに対向したシャッター本体の下端縁近傍の永久磁石の列が２本の列状に配設されており、前記床面側の１本の永久磁石の列が、それに対向した前記シャッター本体の下端縁近傍の２本の永久磁石の列の間に配置されたことを特徴とする請求項１記載の横引きシャッター装置。
【請求項４】
前記床面に配置した永久磁石の列の上方向の極性と、それに対向する前記シャッター本体の下端縁近傍に設けた永久磁石の列の床面側に向いた極性は対向した極性となるように、床面に配置した永久磁石の列の極性の上方向の極性がＳ極であれば、前記シャッター本体の下端縁近傍に設けた永久磁石の列の床面側に向いた極性もＳ極とし、前者の極性がＮ極であれば、後者の極性もＮ極となるように構成したことを特徴とする請求項１乃至請求項３の内の一つの請求項に記載の横引きシャッター装置。
【請求項５】
前記シャッター本体の移動軌跡線に沿って床面側に配置され複数の磁石要素によって構成された前記永久磁石の列は、前記複数の磁石要素を一方向に極性を揃えて隣接させ、隣接した磁石要素同士を密接させて配列したことを特徴とする請求項１乃至請求項４の内の一つの請求項に記載の横引きシャッター装置。
【請求項６】
前記シャッター本体の移動軌跡線に沿って床面側に配置された永久磁石の列は、隣接した磁石要素同士を密接させて配列し、その密着させた磁石要素を磁石に吸引されない材料で作った容器内に収納して磁石ユニットを構成し、該磁石ユニットを複数個並べて密着させて配設して構成したことを特徴とする請求項５記載の横引きシャッター装置。
【発明の詳細な説明】
【技術分野】
【０００１】  本発明は、床面に機械的案内部材としての下部ガイド用レールを備えない横引きシャッター装置に関し、具体的には、シャッター装置下部の床面側にシャッター装置の移動軌跡線に沿って複数の永久磁石要素から構成される永久磁石の列を配設し、それに対応してシャッター装置下部近傍にも複数の永久磁石要素から構成される永久磁石の列を配設した横引きシャッター装置に関する。
【背景技術】
【０００２】  従来から、横引きシャッターと呼ばれる横方向に開閉するシャッターは知られており、それを図９に示す。この横引きシャッター２００は、天井ＣＬに設けられた吊り下げ用上レール２２０と床面ＦＬに設けられた下レール２３０との間にシャッター本体２１０を吊し、下レール２３０に沿って案内摺動させるものである。このシャッター本体２１０の上下のレール２２０，２３０は、何れも建物の一部に固定された上下のレール枠体２２１，２３１より構成されており、吊り下げ用上レール２２０にはレール２２２が設けられている。そのレール２２２には、走行ローラ２２３を介してシャッター本体２１０が吊り下げられている。下レール枠体２３１は、床面に設けられた上に開いたＵ字状の枠レールであり、そのＵ字状の下レール枠体２３１は、シャッター本体２１０下部に取り付けられたガイドローラ２３２の案内溝として機能する。これにより、シャッター本体２１０を手により左右に操作すれば、走行ローラ２２３に吊るされたシャッター本体２１０は、ガイドローラ２３２により案内されて左右に開閉される。【０００３】  このような、従来の横引きシャッターは、床面側にはシャッター装置を機械的に案内摺動させる下レールを必須とするものであり、それが故にシャッター装置が開いている際には、下レール枠体２３１は、床面に対して開口したＵ字状溝が露出されるので、雨水が溜まったり、枯葉や塵埃が侵入・付着したりして汚損し、腐蝕することが懸念されていた。また、女性のハイヒールの踵が挟まって転倒する事故も発生している。そこで、シャッターの開放時には、下レール枠体２３１のＵ字状開放溝に蝶番機構を備えた開閉板を設けて閉じることにより問題を解決しようとするものが知られている。【０００４】  例えば、特許文献１（特開平６−３２３０７２号公報）では、横引きシャッターの開放時において下部レール溝を封鎖して開口部を行き来する移動物、歩行者等の安全とレール溝の保全を図ることができると共に、非直線状の溝を有する下部レール溝にも対応することができる横引きシャッターの下部レール溝カバーを提供するとしている。これは、複数のパネルからなる横引きシャッターの下部を、下部レール溝に遊嵌し、かつ該下部レール溝の開放面を封鎖するカバー体を、上記下部レール溝の一側縁を回動支点として開閉自在に沿設すると共に、上記カバー体を、傾斜状に切込んで所要数のカバーピースに分割し、横引きシャッターの開放、閉鎖操作に連繋して、上記各カバーピースを起伏可能に構成している。【０００５】  また、特許文献２（特開平８−３０３１５９号公報）は、横引シャッターの下レールのＵレールの開閉を自在とすることを目的とし、下レールのＵレールを可動状に構成し、シャッターの開閉に応じてＵレールを上下もしくは前後に逆転してＵ溝を閉塞もしくは開口自在としている。この横引シャッターのガイド用下レールは、敷設した断面凹状のレール基枠と、そのレール基枠の凹状部に嵌装する可動状のＵ状レールとよりなり、前記レール基枠の凹状部に、前記可動状Ｕ状レールをシャッターの開閉走行に応じてＵ状もしくは逆Ｕ状に上下を反転させて取付けるように設けたことを特徴とする。
【先行技術文献】
【特許文献】
【０００６】
【特許文献１】  特開平６−３２３０７２号公報
【特許文献２】  特開平８−３０３１５９号公報
【発明の概要】
【発明が解決しようとする課題】
【０００７】  以上の従来技術においては、床面に設置された下レールの上方開放溝部は蓋により閉じられるものの、床面の下レールそのものは存在しており、それを取り除くことはできないが故に、多少の段差が生じたり外観上の見栄えが損なわれたりすることは解消できていない。そこで、本発明が解決しようとする課題は、床面に視認できる下レールを配置しない横引きシャッター装置を提供することである。【０００８】  さらに、本発明は、機械的な摺動機構として配置されていた下レールの摺動摩擦力によりシャッター装置の開閉に大きな力を要する点を解消するものである。また、本発明は、機械的な摺動機構として配置する下レールとそれをガイドするローラとの間のクリアランスにより発生するシャッター装置の横揺れを防止しようとするものである。【０００９】  さらに、本発明は、ガイド下レールを建築の床構造物に埋設するために必要な高さ寸法を小さくし、構造物の重量を小さくした横引きシャッター装置を提供するものである。
【課題を解決するための手段】
【００１０】  本発明の横引きシャッター装置は、シャッター本体を移動軌跡線に沿って移動させて開閉する横引きシャッター装置において、床面側には前記シャッター本体の移動軌跡線に沿って一方向に極性を揃えた複数の永久磁石要素から構成された永久磁石の列を設け、その永久磁石の列に対向してシャッター本体の下端縁近傍にも複数の永久磁石要素から構成された永久磁石の列を一方向に極性を揃えて設け、前記床面側に設けた永久磁石の列と前記シャッター本体に設けた永久磁石の列との反発力により前記シャッター本体の前記移動軌跡線に沿った移動を案内させることを特徴とする。【００１１】  さらに、本発明の横引きシャッター装置は、前記一方の永久磁石の列が１本の列状に配設され、且つ、それに対向した他方の永久磁石の列が２本の列状に配設されており、前記１本の永久磁石の列が、それに対向した前記他方の２本の永久磁石の列の間に配置されたことを特徴とする。【００１２】  さらに、本発明の横引きシャッター装置は、前記床面側の永久磁石の列が１本の列状に配設され、且つ、それに対向したシャッター本体の下端縁近傍の永久磁石の列が２本の列状に配設されており、前記床面側の１本の永久磁石の列が、それに対向した前記シャッター本体の下端縁近傍の２本の永久磁石の列の間に配置されたことを特徴とする。【００１３】  さらに、本発明の横引きシャッター装置は、前記床面に配置した永久磁石の列の上方向の極性と、それに対向する前記シャッター本体の下端縁近傍に設けた永久磁石の列の床面側に向いた極性は対向した極性となるように、床面に配置した永久磁石の列の極性の上方向の極性がＳ極であれば、前記シャッター本体の下端縁近傍に設けた永久磁石の列の床面側に向いた極性もＳ極とし、前者の極性がＮ極であれば、後者の極性もＮ極となるように構成したことを特徴とする。【００１４】  さらに、本発明の横引きシャッター装置は、前記シャッター本体の移動軌跡線に沿って床面側に配置され複数の磁石要素によって構成された前記永久磁石の列は、前記複数の磁石要素を一方向に極性を揃えて隣接させ、隣接した磁石要素同士を密接させて配列したことを特徴とする。【００１５】  さらに、本発明の横引きシャッター装置は、前記シャッター本体の移動軌跡線に沿って床面側に配置された永久磁石の列は、隣接した磁石要素同士を密接させて配列し、その密着させた磁石要素を磁石に吸引されない材料で作った容器内に収納して磁石ユニットを構成し、該磁石ユニットを複数個並べて密着させて配設して構成したことを特徴とする。
【発明の効果】
【００１６】  本発明は、以上のような構成により、床面に視認可能なガイド用下レールを設けることなく、シャッター本体の移動軌跡線に沿って配設した永久磁石の列の反発力によりガイドしているために、極めて小さな力で移動させることができる横引きシャッター装置を提供することが可能なものである。【００１７】  さらに、本発明は、床面に視認可能なガイド用下レールを設けていないにも拘わらず、シャッター装置の移動方向と直交する方向に押したとしても、磁石の反発力により強固に反発して振れることがない横引きシャッター装置を提供することが可能なものである。【００１８】  本発明は、床面にガイド用下レールを設けない横引きシャッター装置を提供することが可能なために、建築工法としても、出来上がりの建築物としても大きな効果を奏することができる。つまり、従来のガイド下レールを建築の床構造物に埋設するには、建築物の強度部材に約５０ｍｍ程度の溝を形成してから、ガイド下レールをモルタルにより埋め込む工事が必要であり、建築構造物としても高さ方向に余分の寸法が必要とされていた。当然に、このことは建築物全体の重量を増加させ、その高さも増加させるものであり、構造設計の難しさや、費用の高騰に繋がるものであった。それに比して、本発明の場合は、磁石を埋めるためには３０ｍｍ程度の溝を形成するだけでよく、強度部材の高さ寸法の節約は、高層建造物にとっては建造物そのものの重量及び高さ寸法の大きな節約になるものである。【００１９】  さらに、本発明は、横引きシャッター装置を開いてしまえば、床面に何らの痕跡もなくフラットな床面を提供することができるので、美観の維持に絶大な効果を発揮する。【００２０】  さらに、本発明は、床面に視認可能なガイド用下レールを設けていないので、枯葉や塵埃が溜まることもなく掃除が簡単であるし、不注意により足を取られたり、車椅子で不自由を感じたりすることもないものである。
【図面の簡単な説明】
【００２１】
【図１】（Ａ）は、本発明の横引きシャッター装置の断面構成図であり、（Ｂ）は、横引きシャッター装置を構成する短冊状シャッタースラットのＢ−Ｂ断面図である。
【図２】（Ａ）は、本発明の横引きシャッター装置のシャッター本体の詳細構成図であり、（Ｂ）は、（Ａ）のＸ部分の断面構成の模式図である。
【図３】は、本発明の横引きシャッター装置の各永久磁石の列の配置を示す詳細図である。
【図４】は、本発明の横引きシャッター装置の全体構成を示す一部断面斜視図である。
【図５】は、本発明の横引きシャッター装置の移動軌跡線に沿って床面に配置した永久磁石の配置図の一例である。
【図６】（Ａ）は、本発明の横引きシャッター装置の床面に配置する磁石ユニットの構成を示す斜視図であり、（Ｂ）は、その磁石ユニットを床面側に配置する際の設置構成の一例を示す斜視図である。
【図７】は、本発明の横引きシャッター装置における永久磁石の機能説明図であり、（Ａ）は床面に２列の永久磁石の列を配置し、（Ｂ）は床面に１列の永久磁石の列を配置したものである。
【図８】（Ａ）（Ｂ）（Ｃ）（Ｄ）は、本発明の横引きシャッター装置の各種適用例を示した概略図である。
【図９】は、従来の横引きシャッター装置の概略構成図である。
【発明を実施するための形態】
【００２２】  以下、図面を用いて本発明の実施例について説明する。図１（Ａ）は、本発明の横引きシャッター装置の断面構成図である。以下、本発明の横引きシャッター装置を具体的な実施例を基にして説明するが、発明の技術思想に反しない限り当業者が容易にできる変更は可能であり、本発明の技術的範囲に属するものである。
【００２３】  以下の実施例においては、天井面と床面の間に設けた横引きシャッターを具体例として説明するが、本発明としては、実際の「天井面」と「床面」の間に設置した横引きシャッターに限定されるものではなく、後述の図８に示すような適用例が可能なものである。従って、本発明において、「天井」或いは「天井面」とは、上方で横引きシャッターを支えるための構造物側の部材を意味するものであり、「床」或いは「床面」とは、横引きシャッターの下面側に位置する構造物側の部材を意味するものである。
【００２４】  本発明の横引きシャッター装置１００は、天井ＣＬに設けられた吊り下げ用上レール１２０にシャッター本体１１０を吊り下げて移動軌跡線に沿って移動させて開閉するものである。この吊り下げ用上レール１２０は、天井面に直接取り付けても良いし、梁等に固定しても良いし、建物とは全く別の部材により構成しても良い。この吊り下げ用上レール１２０には、断面コ字型のレール枠体１２１が、横引きシャッター装置１００の移動軌跡に沿って設けられ、レール枠体１２１の内側に吊り下げレール１２２が設けられている。その吊り下げレール１２２には、シャッター本体１１０を吊り下げるために、適宜の数の走行ローラ１２３が引っ掛けられている。これにより、シャッター本体１１０は、横引きシャッター装置１００の移動軌跡に沿って設けられた吊り下げレール１２２を移動可能に移動する。後述するが、シャッター本体１１０は、複数の短冊状シャッタースラット１０１（図１（ｂ）及び図２（ｂ）参照）が連接されて構成されており、その短冊状シャッタースラット１０１のうちの幾つかの頂部に走行ローラ１２３が取り付けられている。このような吊り下げ用上レール１２０の構成は、従来の横引きシャッター装置の構成と実質的には相違がない。
【００２５】  本発明のシャッター本体１１０の詳細な構成は、図２（Ａ）及び（Ｂ）に示されており、シャッター本体１１０は、連結された複数の短冊状シャッタースラット１０１，１０１，１０１・・・から構成され、複数の短冊状シャッタースラット１０１，１０１，１０１・・・は相互に連接されている。この連接構造は、図１（Ｂ）に示すように、各短冊状シャッタースラット１０１に設けられた連接凸部１０２と連接凹部１０３の係合により達成されている。図２（Ｂ）は、各短冊状シャッタースラット１０１，１０１，１０１・・・が連接された状態の断面模式図を示している。このような構成も、従来の横引きシャッター装置の構成と実質的には相違がない。
【００２６】  本発明は、最大の特徴である床面に視認可能な下部ガイド用レールを備えない構成を達成するために、床面ＦＬに、横引きシャッター装置１００の移動軌跡線１５０（図２（Ｂ），図３）に沿って複数の永久磁石要素１５１及び１６１が列状に配設されている。それにより一対の永久磁石の列１５１，１５１，１５１・・・及び１６１，１６１，１６１・・・が埋設されることとなる。そして、各々の短冊状シャッタースラット１０１の下端部には永久磁石要素１４１が設けられる。このシャッター本体１１０は、複数の短冊状シャッタースラット１０１によって構成されているために、一列状に永久磁石の列１４１，１４１，１４１・・・が設けられることとなる。場合によっては、この永久磁石要素１４１は、全ての短冊状シャッタースラット１０１に設ける必要はなく、飛び飛びに設けても良い。
【００２７】  本実施例においては、短冊状シャッタースラット１０１の最下端部は、床面ＦＬから５〜１０ｍｍ程度離して吊り下げられている。この床面から短冊状シャッタースラット１０１の最下端部までの距離は、横引きシャッター装置１００の設計仕様として適宜選択可能なものである。ただし、この床面から短冊状シャッタースラット１０１の最下端部までの距離は、図７に関連して後述するように、一本の永久磁石の列１４１，１４１，１４１・・・の磁力線が、一対の永久磁石の列１５１，１５１，１５１・・・及び１６１，１６１，１６１・・・の磁力線の間に挟まれるような関係に配置することが大切である。このような状態を磁力線がオーバーラップした状態と称する。このような状態は、磁力検知手段を用いて、床面上を移動軌跡線を横切って磁力の強さを測定することによりピークを２回検知することになるので容易に検出することができる。そして、図７（Ａ）及び（Ｂ）で示す磁力線がオーバーラップする上下の寸法が少ないとシャッター本体１１０の横揺れの阻止は難しい場合がある。
【００２８】  図３に各永久磁石の列の配置関係を詳細に示す。図３に示された実施例においては、床面に配置された複数の永久磁石要素１５１及び１６１が相互に密接して配置され、永久磁石の列１５１，１５１，１５１・・・及び、それと並列した永久磁石の列１６１，１６１，１６１・・・を形成しているが、短冊状シャッタースラット１０１の下端部に設けられた永久磁石要素１４１は、各短冊状シャッタースラット１０１に設けられてはいるものの、各永久磁石要素は相互に距離をおいて１列状に配置されている。つまり、複数の短冊状シャッタースラット１０１，１０１，１０１・・・から構成されるシャッター本体１１０に設けた永久磁石を相互に密着して配置することは困難であるし、各永久磁石要素１４１は相互に密着させる必要はない。設計によっては、永久磁石要素１４１は、全ての短冊状シャッタースラット１０１に設けなくとも良い。しかしながら、本発明の横引きシャッター装置においては、床面に配置されたガイド用の永久磁石の列の配置においては、各永久磁石要素を相互に密着させて配置することが大切である。また、この場合の永久磁石の強さや配置間隔、及び永久磁石の列１５１，１５１，１５１・・・又は１６１，１６１，１６１・・・と永久磁石の列１４１，１４１，１４１・・・との距離は、横引きシャッター装置１００の揺れを阻止するのに必要な力によって設計的に決められるものである。
【００２９】  図４は、本発明の横引きシャッター装置１００の全体構成を示す一部断面斜視図である。天井側に設けられたレール枠体１２１に多数の短冊状シャッタースラット１０１，１０１，１０１・・・から構成されるシャッター本体１１０が吊り下げられており、短冊状シャッタースラット１０１の下端部には永久磁石要素１４１が設けられている。床面ＦＬには、横引きシャッター装置１００の移動軌跡線１５０を挟んで、一対の永久磁石の列１５１，１５１，１５１・・・及び１６１，１６１，１６１・・・が相互に所定距離だけ離して配設されている。これにより、移動軌跡線１５０に沿って横引きシャッター装置１００を押せば極めて小さな力で開閉することが可能である。それに対して、横引きシャッター装置１００を移動軌跡線１５０の直交方向に押しても、シャッター本体１１０側の永久磁石の列１４１，１４１，１４１・・・に対する床面側の一対の永久磁石の列１５１，１５１，１５１・・・及び１６１，１６１，１６１・・・からの反発力によりシャッター本体１１０の揺動が阻止されている。
【００３０】  図５には、Ｕ字状の移動軌跡線１５０に沿って、床面に設けた磁石列の配置構成を示している。この配置構成では、Ｕ字状の移動軌跡線１５０に沿って、一対の永久磁石の列１５１，１５１，１５１・・・及び１６１，１６１，１６１・・・が配置されているが、そのカーブ部１５２或いは１５３における磁石の配置が相違している。つまり、カーブ部１５２では、一対の永久磁石の列１５１，１５１，１５１・・・及び１６１，１６１，１６１・・・が連続して配置されているが、カーブ部１５３では、一対の永久磁石の列１５１，１５１，１５１・・・及び１６１，１６１，１６１・・・が配置されていない。このように、カーブ部１５３の床面に連続した一対の永久磁石の列１５１，１５１，１５１・・・及び１６１，１６１，１６１・・・を形成しなくとも、シャッター本体１１０は、天井側に配置された吊り下げ用上レール１２０に沿って移動するために、シャッター本体１１０が永久磁石の列の配設されていないカーブ部１５３の何れか側から一対の永久磁石の列１５１，１５１，１５１・・・及び１６１，１６１，１６１・・・の間に導き入れられる。この導入を確実にするには、図示はしないが、カーブ部１５３の両側に配設された一対の永久磁石の列１５１，１５１，１５１・・・及び１６１，１６１，１６１・・・の出入り側をラッパ状に配設すれば良い。
【００３１】  図６（Ａ）には、複数の永久磁石要素１５１を相互に密着して配列した磁石ユニット１５５を示している。磁石ユニット１５５は、例えば、アルミニウムや合成樹脂等の磁石に吸引されない材料で作られた断面４角形の直方体の筒状容器１５６であり、その内部に複数の永久磁石要素１５１，１５１，１５１・・・を挿入している。この筒状容器１５６の両端部は、適宜ビス等で止められた蓋１５７，１５７で磁石要素１５１が飛び出さないようにしている。本発明においては、この磁石ユニット１５５，１５５，１５５を、適当な固定バンド１５９，１５９，１５９・・・等で床面ＦＬ下部の構造物に取り付けて、一対の列状に配置している（図６（Ｂ））。図６（Ｂ）においては、この構造物の上に床面ＦＬが配置されるが図示してはいない。
【００３２】  以下、図７（Ａ）及び（Ｂ）の説明においては、その方向関係は図面上の方向に従って説明するものとする。図７（Ａ）及び（Ｂ）に、上下の各永久磁石要素１４１，１５１，１６１の配置関係の詳細が、各永久磁石の列の一部の永久磁石要素として示されており、（Ａ）は、床面に２列の永久磁石の列を配置し、移動軌跡線に沿って移動するシャッター本体１１０には１列の永久磁石の列を配置したものである。
【００３３】  図７（Ａ）において明らかなように、シャッター本体１１０側の永久磁石要素１４１（又は永久磁石の列１４１，１４１，１４１・・・）の磁力線は、床面側の２列の永久磁石の列１５１，１５１，１５１・・・及び１６１，１６１，１６１・・・の磁力線とは上下の方向において少しオーバーラップしている。このような磁極の関係で配置することにより、シャッター本体１１０側の永久磁石要素１４１（又は永久磁石の列１４１，１４１，１４１・・・）は、床面側の２列の永久磁石の列１５１，１５１，１５１・・・及び１６１，１６１，１６１・・・から同じ大きさの強力な力Ｆ，Ｆを受けることになり、図示の方向で左右への揺動が阻止される。しかし、図示の方向で、シャッター本体１１０側の永久磁石要素１４１（又は永久磁石の列１４１，１４１，１４１・・・）が図面の垂直方向に移動することは何ら阻止されない。これにより、シャッター本体１１０を手により図示の垂直方向に操作すれば、走行ローラ１２３に吊るされたシャッター本体１１０は、床面の永久磁石の列１５１，１５１，１５１・・・と列１６１，１６１，１６１・・・との間を案内されて図示の垂直方向に開閉される。床面に配置された永久磁石の列１５１，１５１，１５１・・・と列１６１，１６１，１６１・・・との距離は、シャッター本体１１０の厚みにより変更可能であるが、一般的には３０〜５０ｍｍ程度の所定の距離を置いて配置されている。
【００３４】  図７（Ｂ）は、床面に１列の永久磁石の列１５１，１５１，１５１・・・を配置し、移動軌跡線に沿って移動するシャッター本体１１０には２列の永久磁石の列１４１ａ，１４１ａ，１４１ａ・・・及び１４１ｂ，１４１ｂ，１４１ｂ・・・を配置したものである。図７（Ｂ）においては、シャッター本体１１０側の２列の永久磁石の列１４１ａ，１４１ａ，１４１ａ・・・及び１４１ｂ，１４１ｂ，１４１ｂ・・・の磁力線は、床面側の永久磁石の列１５１，１５１，１５１・・・の磁力線とは上下の方向において少しオーバーラップしている。このような磁極の関係で配置することにより、シャッター本体１１０側の２列の永久磁石の列１４１ａ，１４１ａ，１４１ａ・・・及び１４１ｂ，１４１ｂ，１４１ｂ・・・は、床面側の１列の永久磁石の列１５１，１５１，１５１・・・から同じ大きさの強力な力Ｆ，Ｆを受けることになり、図示の方向で左右への揺動が阻止される。しかし、図示の方向で、シャッター本体１１０側の永久磁石の列１４１ａ，１４１ａ，１４１ａ・・・及び１４１ｂ，１４１ｂ，１４１ｂ・・・が図面の垂直方向に移動することは何ら阻止されない。これにより、シャッター本体１１０を手により図示の垂直方向に操作すれば、走行ローラ１２３に吊るされたシャッター本体１１０は、床面の永久磁石の列１５１，１５１，１５１・・・に沿って案内されて図示の垂直方向に開閉される。このような構成は、シャッター本体１１０の厚みが厚いものの場合に適切であり、シャッター本体１１０の厚みが十分に取れるものであれば自立が可能で転倒の危険性の低い構造とすることができ、天井面の吊り下げ用上レール１２０を設けない構成も可能である。
【００３５】  このことから、対向させた永久磁石の列の配置は、１列に対しては２列、２列に対しては３列、３列に対しては４列等を配設することが容易に思いつくものである。つまり、一方の永久磁石の列をｎ本とした場合には、対向する他方の永久磁石の列は（ｎ＋１）本を配設するのが望ましいものである。
【００３６】  本実施例において、各々の短冊状シャッタースラット１０１の下端部に設けられた永久磁石要素１４１は、上方に向けてＳ極を配置し下方を向けてＮ極が配置されている。図示した実施例では、ブロック状の磁石要素を用いているが、これに代えて複数の平板状の永久磁石を接着剤で張り合わせて構成しても良い。この永久磁石要素１４１は、各短冊状シャッタースラット１０１の最下端部から２〜４ｍｍ程度の距離で床面に近づけて設ける方が良い。
【００３７】  一方、永久磁石の列１５１，１５１，１５１・・・及び１６１，１６１，１６１・・・は、床面下５〜１０ｍｍ程度に埋設され、横引きシャッター装置１００の移動軌跡線１５０（図２（Ｂ），図３）に沿って所定距離を離して並列に設けられている。床面下に埋設された永久磁石の列１５１，１５１，１５１・・・及び１６１，１６１，１６１・・・の各永久磁石は、図１に示した実施例では、同極を向けて配置した複数個の永久磁石要素から構成された永久磁石ユニットを列状に並べて形成しているが、ブロック状の永久磁石要素に代えて、２枚以上の薄板上の永久磁石を接着剤で張り合わせて構成しても良いし、ユニット構成としなくても良い。ただし、複数の磁石要素は、相互に密着させて配設する必要があり、また、各短冊状シャッタースラット１０１の下端部に設けられた永久磁石１４１の上下方向の極性と反対の極性、つまり、図示した実施例では、上方に向けてＮ極を配置し下方を向けてＳ極を配置する必要がある。
【００３８】  本発明においては、その実施例として、天井面と床面との間に設けられた横引きシャッターを具体的な実施例として説明したが、それに限定されるものではない。例えば、図８に本発明の横引きシャッター装置の各種適用例の概略図を示す。図８（Ａ）は、具体的実施例として説明してきた天井面８０１と床面８０２との間に設けた横引きシャッター装置１００の概略図であり、図８（Ｂ）は、無目高、下がり天井、下がり壁等８０３と床面８０２との間に設けた横引きシャッター装置１００の概略図、図８（Ｃ）は、無目高、下がり天井、下がり壁等８０３と腰高、カウンタトップ等８０４との間に設けた横引きシャッター装置１００の概略図、図８（Ｄ）は、天井面８０１と腰高、カウンタトップ等８０４との間に設けた横引きシャッター装置１００の概略図である。
【産業上の利用可能性】
【００３９】  本発明の横引きシャッター装置は、建物に取り付ける横引きシャッターに利用可能なことは当然であるが、各種機械装置や車輌等の横引きシャッターにも適用可能なものである。
【符号の説明】
【００４０】ＣＬ  天井
ＦＬ  床面
１００  横引きシャッター装置
１１０  シャッター本体
１０１  短冊状シャッタースラット
１２０  吊り下げ用上レール
１２１  レール枠体
１２２  吊り下げレール
１２３  走行ローラ
１４１，１５１，１６１  永久磁石要素（その列が永久磁石の列）
１５５  磁石ユニット
【図１】
2012149495.tif 000003
【図２】
2012149495.tif 000004
【図３】
2012149495.tif 000005
【図４】
2012149495.tif 000006
【図５】
2012149495.tif 000007
【図６】
2012149495.tif 000008
【図７】
2012149495.tif 000009
【図８】
2012149495.tif 000010
【図９】
2012149495.tif 000011